【手続補正書】
【提出日】平成24年6月5日(2012.6.5)
【手続補正１】
【補正対象書類名】明細書
【補正対象項目名】０００３
【補正方法】変更
【補正の内容】
【０００３】
歯の手入れ用チューイングガムは、いわゆるチューイングガム基礎剤から本質的になる。チューイングガム基礎剤は天然または合成ポリマーからなり、その例は、ラテックス、ポリビニルエーテル、ポリイソブチレンビニルエーテル、またはポリイソブテンである。このタイプの歯の手入れ用チューイングガムは一般に、歯の手入れ用剤としてｐＨ調整物質を含んでなり、該物質が虫歯（カリエス）の発現を妨げる。しかしながら、その塑性挙動の故に、そのような歯の手入れ用チューイングガムは、咀嚼面または歯側面の清浄にほとんど寄与しない。加えて、チューイングガムは一般に、その粘着性の故に、公道および公共区域の路面や床からしばしば機械的に除去および廃棄されなければならない（このことは、かなりの清掃費用を意味する）といった欠点を有する。
【手続補正２】
【補正対象書類名】明細書
【補正対象項目名】００４５
【補正方法】変更
【補正の内容】
【００４５】
形材体の別の態様では、ポリマーは、
Ａ）ａ１）有機ポリイソシアネート、
ａ２）４００ｇ／ｍｏｌ〜８０００ｇ／ｍｏｌの数平均分子量および１．５〜６のＯＨ官能価を有するポリマーポリオール
のイソシアネート官能性プレポリマーを調製し、次いで、
Ｂ）その遊離ＮＣＯ基を
ｂ１）３２ｇ／ｍｏｌ〜４００ｇ／ｍｏｌの分子量を有するアミノ官能性化合物および／または
ｂ２）イオン性または潜在イオン性アミノ官能性親水化剤
と連鎖延長を伴いながら完全にまたは部分的に反応させ、
工程Ｂ）の前、間または後に該プレポリマーを水に分散させ、ここで、潜在イオン性基は、中和剤との部分反応または完全反応によってイオン状態に転化され得る
ことにより得ることができるポリウレタン−ポリウレア分散体（Ｉ）から得ることができる。
【手続補正３】
【補正対象書類名】明細書
【補正対象項目名】００５１
【補正方法】変更
【補正の内容】
【００５１】
特に好ましくは、成分ａ１）には、１，６−ヘキサメチレンジイソシアネート、イソホロンジイソシアネート、異性体ビス（４，４'−イソシアナトシクロヘキシル）メタン、およびそれらの混合物を使用する。
【手続補正４】
【補正対象書類名】明細書
【補正対象項目名】００７１
【補正方法】変更
【補正の内容】
【００７１】
特定の分子量範囲のエステルジオール、例えば、α−ヒドロキシブチル ε−ヒドロキシカプロエート、ω−ヒドロキシヘキシル γ−ヒドロキシブチレート、β−ヒドロキシエチルアジペート、またはビス（β−ヒドロキシエチル）テレフタレートも適している。
【手続補正５】
【補正対象書類名】明細書
【補正対象項目名】０１６９
【補正方法】変更
【補正の内容】
【０１６９】
実施例２：塗料の調製
１００ｇの実施例１のポリウレタン分散体、２０ｇの水、６ｇの０．１％濃度サッカリンナトリウム水溶液、６ｇのL-Menthol Freeflow L 6000129（Symrise（ドイツ国ホルツミンデン在））、６ｇの０．２％濃度スクラロース水溶液、６ｇのOptacool 150104（Symrise（ドイツ国ホルツミンデン在））、６ｇのOptacool 225488（Symrise（ドイツ国ホルツミンデン在））、および０．１％濃度の染料Duacert FD&C Blue No. 310605水溶液（Sensient（ベルギー国在））０．４ｇを、室温で混合し一緒に撹拌した。
【手続補正６】
【補正対象書類名】特許請求の範囲
【補正対象項目名】全文
【補正方法】変更
【補正の内容】
【特許請求の範囲】
【請求項１】
歯磨き用のストランド様ポリマーフォーム形材体であって、形材体の横断面が底部（１０）と、該底部に隣接し、かつ互いに向かい合って配置された第一壁部（１２）および第二壁部（１４）とを含み、該横断面において、第一壁部および第二壁部（１２、１４）の方向における形材体最大広がりが形材体高さと定義され、該横断面において、該高さに対して垂直な形材体最大広がりが形材体幅と定義され、更に、第一壁部および第二壁部（１２、１４）と一緒に底部（１０）が歯を受け入れるために少なくとも１つのギャップ（１６、１８）を形材体内に形成し、該ポリマーフォームが、
Ａ）ａ１）有機ポリイソシアネート、
ａ２）４００ｇ／ｍｏｌ〜８０００ｇ／ｍｏｌの数平均分子量および１．５〜６のＯＨ官能価を有するポリマーポリオール
のイソシアネート官能性プレポリマーを調製し、次いで、
Ｂ）その遊離ＮＣＯ基を
ｂ１）３２ｇ／ｍｏｌ〜４００ｇ／ｍｏｌの分子量を有するアミノ官能性化合物および／または
ｂ２）イオン性または潜在イオン性アミノ官能性親水化剤
と連鎖延長を伴いながら完全にまたは部分的に反応させ、
工程Ｂ）の前、間または後に該プレポリマーを水に分散させ、ここで、潜在イオン性基は、中和剤との部分反応または完全反応によってイオン状態に転化され得る
ことにより得ることができるポリウレタン−ポリウレア分散体（Ｉ）から得ることができることを特徴とする、形材体。
【請求項２】
横断面を見ると、形材体の底部（１０）がギャップ（１６、１８）に面する側に隆起（２０）を形成している、請求項１に記載の形材体。
【請求項３】
横断面を見ると、形材体の底部（１０）がギャップ（１６、１８）と反対側に隆起（２２）を形成している、請求項１に記載の形材体。
【請求項４】
横断面を見ると、形材体の第一壁部（１２）および／または第二壁部（１４）がギャップ（１６、１８）に面する側に隆起（２４）を形成している、請求項１に記載の形材体。
【請求項５】
横断面を見ると、隆起（２０、２２、２４）の数が２〜１０の範囲である、請求項２〜４のいずれかに記載の形材体。
【請求項６】
横断面を見ると、２つの隆起（２０、２２）の間の最深地点（２６、３２）に直接隣接した隆起（２０、２２）の２つの最高地点（２８、３０、３４、３６）の間を結ぶ線に対して直角な該最深地点（２６、３２）の距離として測定された隆起（２０、２２）高さと、形材体高さとの比が、１：１５〜１：５である、請求項２または３に記載の形材体。
【請求項７】
横断面を見ると、２つの隆起（２４）の間の最深地点（３８）に直接隣接した隆起（２４）の２つの最高地点（４０、４２）の間を結ぶ線に対して直角な該最深地点（３８）の距離として測定された隆起（２４）高さと、形材体高さとの比が、１：３０〜１：１０である、請求項４に記載の形材体。
【請求項８】
横断面を見ると、底部（１０）の最大広がりと形材体の幅との比が１：６〜１：２である、請求項１に記載の形材体。
【請求項９】
横断面を見ると、第一壁部および第二壁部（１２、１４）の最高地点（４６、４８）の間を結ぶ線に対して垂直な、底部（１０）のギャップに面する側における最深地点（４４）の距離と、形材体高さとの比が、１：４〜１：１．５である、請求項１に記載の形材体。
【請求項１０】
形材体の材料が、０．３ＭＰａ〜３．５ＭＰａの１００％引張モジュラス、０．５ＭＰａ〜４０ＭＰａの引張強さ、および１００％〜２０００％の伸び率を有するポリマーフォームを含んでなる、請求項１に記載の形材体。
【請求項１１】
工程Ａ）において、イソシアネート官能性プレポリマーが、
ａ３）６２ｇ／ｍｏｌ〜３９９ｇ／ｍｏｌの分子量を有するヒドロキシ官能性化合物および／または
ａ４）イオン性または潜在イオン性および／または非イオン性ヒドロキシ官能性親水化剤
から更に調製される、請求項１に記載の形材体。
【請求項１２】
・Ａ）ａ１）有機ポリイソシアネート、
ａ２）４００ｇ／ｍｏｌ〜８０００ｇ／ｍｏｌの数平均分子量および１．５〜６のＯＨ官能価を有するポリマーポリオール
のイソシアネート官能性プレポリマーを調製し、次いで、
Ｂ）その遊離ＮＣＯ基を
ｂ１）３２ｇ／ｍｏｌ〜４００ｇ／ｍｏｌの分子量を有するアミノ官能性化合物および／または
ｂ２）イオン性または潜在イオン性アミノ官能性親水化剤
と連鎖延長を伴いながら完全にまたは部分的に反応させ、
工程Ｂ）の前、間または後に該プレポリマーを水に分散させ、ここで、潜在イオン性基は、中和剤との部分反応または完全反応によってイオン状態に転化され得る
ことにより得ることができるポリウレタン分散体から調製されたフォーム材料を適用する工程、
・発泡および平らな基材に適用する工程、
・該フォーム材料を硬化および／または乾燥する工程、
・切取りまたは打抜きによって形材体を造形する工程
を含む、請求項１に記載の形材体の製造方法。
【請求項１３】
歯磨きための、請求項１に記載の形材体の使用。